【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
水中を移動する水中移動体において、
浮力体であって形状による潜行力を有する本体部と、
前記本体部から下方へ湾曲自在に延びている錘部とを備え、
水底に着地する前記錘部の量に応じて前記本体部を下方へ引っ張る力を調整することを特徴とする、水中移動体。
【請求項２】
水中を移動する水中移動体において、
浮力体であって形状による潜行力を有する本体部と、
前記本体部から下方へ湾曲自在に延びている錘部とを備え、
水底に着地する前記錘部の量に応じて前記本体部を下方へ引っ張る力を調整するとともに、平坦な水底に沿って好適な速度で水中を移動するときは水底から離れることを特徴とする、水中移動体。
【請求項３】
請求項１から請求項２までのいずれか１項に記載の水中移動体において、前記錘部の全体にはたらく重力は、前記本体部の浮力よりも大きいことを特徴とする、水中移動体。
【請求項４】
請求項１から請求項２までのいずれか１項に記載の水中移動体において、前記錘部の全体にはたらく重力は、前記本体部の浮力と等しいことを特徴とする、水中移動体。
【請求項５】
請求項１から請求項４までのいずれか１項に記載の水中移動体において、前記錘部は、柔軟性を有することを特徴とする、水中移動体。
【請求項６】
水中を移動する釣り具において、
浮力体であって形状による潜行力を有する本体部と、
前記本体部から下方へ湾曲自在に延びている錘部とを備え、
水底に着地する前記錘部の量に応じて前記本体部を下方へ引っ張る力を調整することを特徴とする、釣り具。
【請求項７】
水中を移動する釣り具において、
浮力体であって形状による潜行力を有する本体部と、
前記本体部から下方へ湾曲自在に延びている錘部とを備え、
水底に着地する前記錘部の量に応じて前記本体部を下方へ引っ張る力を調整するとともに、平坦な水底に沿って好適な速度で水中を移動するときは水底から離れることを特徴とする、釣り具。
【請求項８】
請求項６から請求項７までのいずれか１項に記載の釣り具において、前記錘部の全体にはたらく重力は、前記本体部の浮力よりも大きいことを特徴とする、釣り具。
【請求項９】
請求項６から請求項７までのいずれか１項に記載の釣り具において、前記錘部の全体にはたらく重力は、前記本体部の浮力と等しいことを特徴とする、釣り具。
【請求項１０】
請求項６から請求項９までのいずれか１項に記載の釣り具において、前記錘部は、柔軟性を有することを特徴とする、釣り具。
【手続補正２】
【補正対象書類名】明細書
【補正対象項目名】全文
【補正方法】変更
【補正の内容】
【発明の詳細な説明】
【発明の名称】水中移動体及び釣り具
【技術分野】
【０００１】  本発明は、水中を移動する水中移動体及び釣り具に関する。
【背景技術】
【０００２】  従来、水中を移動する水中移動体あるいは釣り具が知られている。この種の水中移動体あるいは釣り具では、水深に関わらず本体を水底から一定の範囲の高さに保つべく、浮力体と錘とを備え、その間隔をもって水底からの高さとするものや（例えば、特許文献１参照。）、錘を含む形状それ自体を細長くすることによって水底からの高さとするものや（例えば、特許文献２参照。）、これらの構造を組み合わせたもの（例えば、特許文献３参照。）が提案されている。
【先行技術文献】
【特許文献】
【０００３】
【特許文献１】特開２０１１−１７２５５７号公報
【特許文献２】米国特許第５２５３４４７号明細書
【特許文献３】特開２０００−１７５６０５号公報
【発明の概要】
【発明が解決しようとする課題】
【０００４】  しかしながら、上記従来の技術による水中移動体あるいは釣り具は、水中で静止できないものが多く、重い錘を搭載して常にまたは断続的に水底に着地した状態で進むことから安定性及び操作性が悪い上に、錘が障害物に引っ掛かってしまうことが多かった。【０００５】  釣り具の場合は、重い錘で水底を叩いたり引掻いたりするため釣趣に欠けるのみならず、魚に警戒され易くて釣果に悪影響を及ぼす恐れがあった。また、その形状のために、あるいはその重心が本体から離れていてバランスが悪いために、魚が針掛かりしたときに取り込むことが難しく、釣り上げる前に魚を逃がしてしまうことが多かった。【０００６】  本発明は、上述した従来の技術が有する課題を解消した、水深に関わらず本体を水底から一定の範囲の高さに保つ水中移動体及び釣り具を提供することにある。
【課題を解決するための手段】
【０００７】  本発明は、水中を移動する水中移動体において、浮力体であって形状による潜行力を有する本体部と、前記本体部から下方へ湾曲自在に延びている錘部とを備え、水底に着地する前記錘部の量に応じて前記本体部を下方へ引っ張る力を調整することを特徴とする。【０００８】  この場合において、前記錘部の全体にはたらく重力は、前記本体部の浮力よりも大きくてもよい。前記錘部の全体にはたらく重力は、前記本体部の浮力と等しくてもよい。前記錘部は、柔軟性を有していてもよい。【０００９】  本発明は、水中を移動する水中移動体において、浮力体であって形状による潜行力を有する本体部と、前記本体部から下方へ湾曲自在に延びている錘部とを備え、水底に着地する前記錘部の量に応じて前記本体部を下方へ引っ張る力を調整するとともに、平坦な水底に沿って好適な速度で水中を移動するときは水底から離れることを特徴とする。【００１０】  この場合において、前記錘部の全体にはたらく重力は、前記本体部の浮力よりも大きくてもよい。前記錘部の全体にはたらく重力は、前記本体部の浮力と等しくてもよい。前記錘部は、柔軟性を有していてもよい。【００１１】  また、本発明は、水中を移動する釣り具において、浮力体であって形状による潜行力を有する本体部と、前記本体部から下方へ湾曲自在に延びている錘部とを備え、水底に着地する前記錘部の量に応じて前記本体部を下方へ引っ張る力を調整することを特徴とする。【００１２】  この場合において、前記錘部の全体にはたらく重力は、前記本体部の浮力よりも大きくてもよい。前記錘部の全体にはたらく重力は、前記本体部の浮力と等しくてもよい。前記錘部は、柔軟性を有していてもよい。【００１３】  また、本発明は、水中を移動する釣り具において、浮力体であって形状による潜行力を有する本体部と、前記本体部から下方へ湾曲自在に延びている錘部とを備え、水底に着地する前記錘部の量に応じて前記本体部を下方へ引っ張る力を調整するとともに、平坦な水底に沿って好適な速度で水中を移動するときは水底から離れることを特徴とする。【００１４】  この場合において、前記錘部の全体にはたらく重力は、前記本体部の浮力よりも大きくてもよい。前記錘部の全体にはたらく重力は、前記本体部の浮力と等しくてもよい。前記錘部は、柔軟性を有していてもよい。
【発明の効果】
【００１５】  本発明では、水深に関わらず本体を水底から一定の範囲の高さに保つ水中移動体及び釣り具を提供することができる。
【図面の簡単な説明】
【００１６】
【図１】本実施形態に係る疑似餌を示す模式図である。図１（ａ）は疑似餌が浅い位置にあるときの様子を示し、図１（ｂ）は同じ疑似餌が中位の深さの位置にあるときの様子を示し、図１（ｃ）は同じ疑似餌が深い位置にあるときの様子を示している。
【図２】疑似餌が平坦な水底に沿って、好適な速度で引っ張られている様子を示す模式図である。図２（ａ）は疑似餌が水中で停止している様子を示し、図２（ｂ）は同じ疑似餌が水中を移動している様子を示している。
【図３】疑似餌が平坦な水底に沿って、好適な速度で引っ張られている様子を示す模式図である。図３（ａ）は疑似餌が水中で停止している様子を示し、図３（ｂ）は同じ疑似餌が水中を移動している様子を示している。
【図３−１】疑似餌が平坦な水底に沿って、好適な速度で引っ張られている様子を示す模式図である。図３−１（ａ）は疑似餌が水中で停止している様子を示し、図３−１（ｂ）は同じ疑似餌が水中を移動している様子を示している。
【図４】疑似餌が水底の段差を昇る様子を示す模式図である。図４（ａ）は疑似餌が水中で停止している様子を示し、図４（ｂ）は同じ疑似餌が水中を移動している様子を示し、図４（ｃ）は同じ疑似餌が段差を昇っている様子を示し、図４（ｄ）は同じ疑似餌が段差を昇った直後の様子を示している。
【図４−１】疑似餌が水底の段差を昇る様子を示す模式図である。図４−１（ａ）は疑似餌が水中で停止している様子を示し、図４−１（ｂ）は同じ疑似餌が水中を移動している様子を示し、図４−１（ｃ）は同じ疑似餌が段差を昇っている様子を示し、図４−１（ｄ）は同じ疑似餌が段差を昇った後の様子を示している。
【図５】疑似餌が水底の段差を降りる様子を示す模式図である。図５（ａ）は図４と同じ疑似餌が段差を降りる前の様子を示し、図５（ｂ）は図４と同じ疑似餌が段差を降りた直後の様子を示し、図５（ｃ）は図４と同じ疑似餌が水底に着地する直前の様子を示し、図５（ｄ）は図４と同じ疑似餌が段差を降りて水底に着地した様子を示している。
【図５−１】疑似餌が水底の段差を降りる様子を示す模式図である。図５−１（ａ）は図４−１と同じ疑似餌が段差を降りる前の様子を示し、図５−１（ｂ）は図４−１と同じ疑似餌が段差を降りている様子を示し、図５−１（ｃ）は図４−１と同じ疑似餌が水底に着地した様子を示し、図５−１（ｄ）は図４−１と同じ疑似餌が段差を降りた後の様子を示している。
【図６】変形例に係る左右非対称な形状の水中移動体を模式的に示す上面図である。
【図７】変形例に係るいわゆるサスペンドする疑似餌を示す模式図である。
【図８】変形例に係る別の形状の水中移動体及び釣り具を示す模式図である。
【図９】変形例に係る生き餌を用いた釣り具を示す模式図である。
【図１０】変形例に係るダウンリガーで用いるための釣り具を示す模式図である。
【発明を実施するための形態】
【００１７】  以下、図面を参照して、本発明の好適な実施の形態について説明する。
【実施例１】
【００１８】  図１は、本実施形態に係る疑似餌を示す模式図である。図１（ａ）は疑似餌が浅い位置にあるときの様子を示し、図１（ｂ）は同じ疑似餌が中位の深さの位置にあるときの様子を示し、図１（ｃ）は同じ疑似餌が深い位置にあるときの様子を示している。【００１９】  以下、疑似餌（釣り具）１００について説明する。
疑似餌１００は、図１（ａ）に示すように、水底２０と水面２１との間を移動可能に設けられており、本体（図１では本体１ａ）、第１のリング５、第２のリング６、第３のリング７、及び釣り針８を有する本体部１と、錘部２とを備えている。この疑似餌１００は、図示せぬ釣り竿を通してリールと結ばれている釣り糸３に連結して用いられる。【００２０】  本体部１は、浮力を生じさせる本体（図１では本体１ａ）を有する浮力体である。本体部１は、体積が水圧によって変化し難い素材で形成されており、使用される水域の水質と比べて比重が小さくなるように設けられている。また、本体部１は、釣り糸によって水中を引っ張られたときに、その形状により水の抵抗を受けて潜行するように形成されている。【００２１】  本体部１は、アイレットである第１のリング５で釣り糸３と連結され、アイレットである第２のリング６で錘部２と連結され、アイレットである第３のリング７で釣り針８と連結されている。なお、第１のリング５は本体部１の概ね前部に設けられ、第２のリング６は本体部１の下部に設けられ、第３のリング７は本体部１の概ね後部に設けられている。【００２２】  本体部１は、上方または下方から見て左右対称な形状を有している（図６（ａ）参照）。また、本体部１は、その用途や水域に合わせて、釣り糸によって水中を好適な速度で引っ張られたときに、好適な範囲を超えて潜行しない形状を有している。【００２３】  次に、本体部１を下方へ引っ張る力並びに、本体部１の水底からの高さを調整するのが錘部２である。錘部２は、下方へ延びるように本体部１と連結されている。また、錘部２は湾曲自在に設けられており、柔軟性を有している。そして、錘部２が本体部１を下方へ引っ張る力は、本体部１から水中にぶら下がっている錘（図１では錘２ａ）の量が、水底２０に着地する量に応じて負の相関で増減することによって調整される。このため錘部２がより柔軟性を有する程、あるいは少なくとも錘部２の下部が前後方向により柔軟性を有する程、より柔らかく水底２０に接することができるとともに、水底２０の起伏に応じて着地する錘（図１では錘２ａ）の量をより細かく増減させることができるため、錘部２が本体部１を下方へ引っ張る力をより繊細に調整することができる。【００２４】  錘部２は、体積が水圧によって変化し難い素材で形成されており、使用される水域の水質と比べて比重が大きくなるように設けられている。また、錘部２は、その延びる方向に垂直な断面が細い程、あるいは少なくとも前方または後方から見て薄い程、釣り糸３によって引っ張られたときに受ける水の抵抗が減るため、浮き上がりを抑えることができる。【００２５】  錘部２は、使用中に切れてしまわない程度の強度を有し、できるだけ水中で目立たず、静粛な素材を用いることが好ましいが、色彩、光沢、光の反射具合、あるいは音等による集魚効果または捕食衝動が期待できる素材を用いてもよい。また、錘部２が根掛かりした場合、錘部２のみを切り離して離脱することができるように、本体部１と錘部２とを連結する第２のリング６に、あるいは錘部２の途中に、捨て錘仕掛けを備えてもよく、このとき捨て錘となる錘部２は環境に無害な素材を用いることが望ましい。【００２６】  本体部１の水底からの高さは、その用途や水域に合わせて、水深が浅くても深くても変化しない本体部１の浮力のみならず、釣り糸３によって水中を好適な速度で引っ張られたときにおける、本体部１の形状による疑似餌１００全体の潜行力及び、水の抵抗による錘部２の浮き上がりをも勘案して、好適な錘部２を予め選択することによって調整する。
【実施例２】
【００２７】  図２は、疑似餌が平坦な水底に沿って、好適な速度で引っ張られている様子を示す模式図である。図２（ａ）は疑似餌が水中で停止している様子を示し、図２（ｂ）は同じ疑似餌が水中を移動している様子を示している。【００２８】  疑似餌１００は、図２（ａ）に示すように、水中で停止しているときは図１と同様に、錘部２の全体にはたらく重力が、本体部１の浮力よりもわずかに大きくなるように、すなわち錘２ｂの下端を水底２０に着地させた状態で静止するように予め調整されている。【００２９】  また、疑似餌１００は、図２（ｂ）に示すように、釣り糸３によって水中を好適な速度で略水平に引っ張られたときに、錘部２が本体部１を下方へ引っ張る力及び本体部１の形状による疑似餌１００全体の潜行力と、本体部１の浮力及び水の抵抗による錘部２の浮き上がりとが、錘２ｂが水底２０から離れた状態で、すなわち水中で錘部２の全体に重力がはたらいている状態で釣り合うように予め調整されている。これにより疑似餌１００は、平坦な水底２０に沿って、水底から離れた状態で、水底から一定の範囲の高さで移動するようになっている。
【実施例３】
【００３０】  図３は、疑似餌が平坦な水底に沿って、好適な速度で引っ張られている様子を示す模式図である。図３（ａ）は疑似餌が水中で停止している様子を示し、図３（ｂ）は同じ疑似餌が水中を移動している様子を示している。【００３１】  疑似餌１００は、図３（ａ）に示すように、水中で停止しているときは図１及び図２と同様に、錘部２の全体にはたらく重力が、本体部１の浮力よりもわずかに大きくなるように予め調整されているため、錘２ｃの下端を水底２０に着地させた状態で静止するようになっている。【００３２】  一方、図３における疑似餌１００は、図３（ｂ）に示すように、釣り糸３によって水中を好適な速度で略水平に引っ張られたときに、錘部２が本体部１を下方へ引っ張る力及び本体部１の形状による疑似餌１００全体の潜行力と、本体部１の浮力及び水の抵抗による錘部２の浮き上がりとが、水中で停止しているときに着地させていた量である錘２ｃの下端よりも、より多くの量の錘２ｃを水底２０に着地させた状態で、すなわちより多くの量の錘２ｃが水底２０によって支えられることにより、錘部２が本体部１を下方へ引っ張る力がその分減少した状態で釣り合うように予め調整されている。これにより疑似餌１００は、平坦な水底２０に沿って、ある程度の量の錘２ｃを水底２０に着地させた状態で、水底から一定の範囲の高さで移動するようになっている。【００３３】図３−１は、疑似餌が平坦な水底に沿って、好適な速度で引っ張られている様子を示す模式図である。図３−１（ａ）は疑似餌が水中で停止している様子を示し、図３−１（ｂ）は同じ疑似餌が水中を移動している様子を示している。【００３４】疑似餌１００は、図３−１（ａ）に示すように、水中で停止しているときは、錘部２が本体部１を下方へ引っ張る力と、本体部１の浮力とが、
2019068780.tif 000001
め調整されている。【００３５】また、疑似餌１００は、図３−１（ｂ）に示すように、釣り糸３によって水中を好適な速度で略水平に引っ張られたときに、錘部２が本体部１を下方へ引っ張る力及び本体部１の形状による疑似餌１００全体の潜行力と、本体部１の浮力及び水の抵抗による錘部２の浮き上がりとが、
2019068780.tif 000002
力がはたらいている状態で釣り合うように予め調整されている。これにより疑似餌１００は、平坦な水底２０に沿って、水底から離れた状態で、水底から一定の範囲の高さで移動するようになっている。
【実施例４】
【００３６】  図４は、疑似餌が水底の段差を昇る様子を示す模式図である。図４（ａ）は疑似餌が水中で停止している様子を示し、図４（ｂ）は同じ疑似餌が水中を移動している様子を示し、図４（ｃ）は同じ疑似餌が段差を昇っている様子を示し、図４（ｄ）は同じ疑似餌が段差を昇った直後の様子を示している。【００３７】  疑似餌１００は、図４（ａ）に示すように、水中で停止しているときは、錘部２が本体部１を下方へ引っ張る力と、本体部１の浮力とが、ある程度の量の錘２ｄを水底２０に着地させた状態で釣り合うように予め調整されている。【００３８】  また、疑似餌１００は、図４（ｂ）に示すように、釣り糸３によって水中を好適な速度で略水平に引っ張られたときに、錘部２が本体部１を下方へ引っ張る力及び本体部１の形状による疑似餌１００全体の潜行力と、本体部１の浮力及び水の抵抗による錘部２の浮き上がりとが釣り合うまで水底から錘２ｄを離した状態で、すなわち水中で停止しているときに着地させていた錘２ｄの量よりも、より少ない量の錘２ｄを水底２０に着地させた状態で移動するようになっている。【００３９】  次に、疑似餌１００は、図４（ｃ）に示すように、段差２０ａを昇り始めると、平坦な水底を移動していたときよりも、より多くの量の錘２ｄを段差２０ａの地形に沿って着地させるようになる。このときより多くの量の錘２ｄが、段差２０ａによって支えられるため、錘部２が本体部１を下方へ引っ張る力はその分減少し、本体部１は段差２０ａの地形に沿って上昇する。そして、段差２０ａを昇ったあと、疑似餌１００は、図４（ｄ）に示すように、図４（ｂ）で示した状態と略同じ着地状態で水底２０を移動するようになる。【００４０】図４−１は、疑似餌が水底の段差を昇る様子を示す模式図である。図４−１（ａ）は疑似餌が水中で停止している様子を示し、図４−１（ｂ）は同じ疑似餌が水中を移動している様子を示し、図４−１（ｃ）は同じ疑似餌が段差を昇っている様子を示し、図４−１（ｄ）は同じ疑似餌が段差を昇った後の様子を示している。【００４１】疑似餌１００は、図４−１（ａ）に示すように、水中で停止しているときは、錘部２が本体部１を下方へ引っ張る力と、本体部１の浮力とが、ある程度の量の錘２ｍを水底２０に着地させた状態で釣り合うように予め調整されている。【００４２】また、疑似餌１００は、図４−１（ｂ）に示すように、釣り糸３によって水中を好適な速度で略水平に引っ張られたときに、錘部２が本体部１を下方へ引っ張る力及び本体部１の形状による疑似餌１００全体の潜行力と、本体部１の浮力及び水の抵抗による錘部２の浮き上がりとが、錘２ｍが水底２０から離れた状態で、すなわち水中で錘部２の全体に重力がはたらいている状態で釣り合うように予め調整されている。【００４３】次に、疑似餌１００は、図４−１（ｃ）に示すように、段差２０ａを昇り始めると、錘２ｍを段差２０ａの地形に沿って着地させるようになる。このとき錘２ｍの一部が段差２０ａによって支えられるため、錘部２が本体部１を下方へ引っ張る力はその分減少し、本体部１は段差２０ａの地形に沿って上昇する。そして、段差２０ａを昇ったあと、疑似餌１００は、図４−１（ｄ）に示すように、図４−１（ｂ���で示した状態と略同じ状態で水底２０を移動するようになる。
【実施例５】
【００４４】  図５は、疑似餌が水底の段差を降りる様子を示す模式図である。図５（ａ）は図４と同じ疑似餌が段差を降りる前の様子を示し、図５（ｂ）は図４と同じ疑似餌が段差を降りた直後の様子を示し、図５（ｃ）は図４と同じ疑似餌が水底に着地する直前の様子を示し、図５（ｄ）は図４と同じ疑似餌が段差を降りて水底に着地した様子を示している。【００４５】  疑似餌１００は、図５（ａ）に示すように、釣り糸３によって水中を好適な速度で略水平に引っ張られたときに、段差２０ｂに達するまでは、ある程度の量の錘２ｄを水底２０に着地させた状態で移動している。【００４６】  次に、疑似餌１００は、図５（ｂ）に示すように、段差２０ｂを降り始めると、それまで水底２０に着地させていた錘２ｄを水底２０から離す。このとき錘部２が本体部１を下方へ引っ張る力はその分増加し、錘部２が本体部１を下方へ引っ張る力及び本体部１の形状による疑似餌１００全体の潜行力が、本体部１の浮力及び水の抵抗による錘部２の浮き上がりよりも大きくなる。このため疑似餌１００は、図５（ｃ）に示すように、段差２０ｂの地形に沿って降下するようになっている。【００４７】  降下した疑似餌１００は、図５（ｄ）に示すように、再び錘２ｄを水底２０に着地させる。このとき錘部２が本体部１を下方へ引っ張る力はその分減少し、錘部２が本体部１を下方へ引っ張る力及び本体部１の形状による疑似餌１００全体の潜行力と、本体部１の浮力及び水の抵抗による錘部２の浮き上がりとが釣り合う状態、すなわち図５（ａ）で示した状態と略同じ着地状態で、水底２０を移動するようになる。【００４８】図５−１は、疑似餌が水底の段差を降りる様子を示す模式図である。図５−１（ａ）は図４−１と同じ疑似餌が段差を降りる前の様子を示し、図５−１（ｂ）は図４−１と同じ疑似餌が段差を降りている様子を示し、図５−１（ｃ）は図４−１と同じ疑似餌が水底に着地した様子を示し、図５−１（ｄ）は図４−１と同じ疑似餌が段差を降りた後の様子を示している。【００４９】疑似餌１００は、図５−１（ａ）に示すように、釣り糸３によって水中を好適な速度で略水平に引っ張られているときは、錘２ｍが水底２０から離れた状態で移動している。【００５０】次に、疑似餌１００は、図５−１（ｂ）に示すように、釣り糸３によって略水平に引っ張られる速度を、意図的に好適な範囲を超えて減速ないしは停止させ、本体部１の形状による疑似餌１００全体の潜行力と、水の抵抗による錘部２の浮き上がりを、ともにその分減少ないしは消滅させると、段差２０ｂを降り始める。【００５１】そして、疑似餌１００は、図５−１（ｃ）に示すように、錘２ｍの一部を水底２０に着地させることにより、錘２ｍの一部が水底２０によって支えられるため、錘部２が本体部１を下方へ引っ張る力もその分減少して、再び釣り合うようになるまで下降する。【００５２】その後、釣り糸３によって略水平に引っ張られる速度を、もとの好適な速度に戻すと、本体部１の形状による疑似餌１００全体の潜行力と、水の抵抗による錘部２の浮き上がりは、ともにその分回復し、また錘２ｍが再び水底２０から離れて錘部２の全体に重力がはたらくようになるため、疑似餌１００は、図５−１（ｄ）に示���ように、図５−１（ａ）で示した状態と略同じ状態で水底２０を移動するようになる。【００５３】  本実施形態に係る疑似餌１００は、浮力体である本体１ａ，１ｂ，１
2019068780.tif 000003
地する量に応じて本体部１を下方へ引っ張る力を調整する錘部２とを備えている。これにより水深に関わらず本体部１を水底２０から一定の範囲の高さに保つことができるとともに、水底２０の起伏に応じて錘部２が本体部１を下方へ引っ張る力を調整することができる。また、水中で静止することができ、錘部２が従来よりも軽くて細く柔軟性を有するため安定性及び操作性が良いとともに障害物に引っ掛かり難く、水底２０を叩いたり引掻いたりしない形状であるため、釣果や釣趣に悪影響を及ぼさないようにすることができる。
【実施例６】
【００５４】  以上、一実施形態に基づいて本発明を説明したが、本発明は、これに限定されるものではない。上記実施形態では、釣り具として疑似餌１００を用いて本発明を説明しているが、これに限定されず、例えば、図６（ｂ）及び図６（ｃ）に示すように、水中移動体２００及び水中移動体３００として本体部１に水中ビデオカメラを搭載してもよい。【００５５】  また、上記実施形態では、図６（ａ）に示すように、本体部１の形状を上方または下方から見て左右対称に形成したが、本発明はこれに限定されない。例えば、図６（ｂ）及び図６（ｃ）に示すように、上方または下方から見て左右非対称な形状の水中移動体２００及び水中移動体３００として形成してもよい。これにより水中移動体２００及び水中移動体３００は、ロープ１０によって引っ張られる方向に向かって右側または左側へ逸れて水中を移動することができる。
【実施例７】
【００５６】  さらに、上記実施形態では、疑似餌１００が水中で停止しているときに、錘部２の下端またはある程度の量の錘部２が、水底２０に着地するように予め調整されていたが、本発明はこれに限定されない。例えば、図７（ａ）に示すように、疑似餌１００が水中で停止しているときに、いわゆるサスペンド状態、すなわち錘部２の全体にはたらく重力が、本体部１の浮力と等しくなるように、つまり疑似餌１００全体として、使用される水域の水質と比重が等しくなるように予め調整してもよい。このとき疑似餌１００は、水底２０に着地し難く、かつ、水面２１まで浮き上がり難くなる。そして、疑似餌１００は、図７（ｂ）に示すように、錘２ｇが瘤２０ｃに着地したときは、錘部２が本体部１を下方へ引っ張る力がその分減少し、瘤２０ｃの地形に沿って上昇するようになっている。
【実施例８】
【００５７】  さらにまた、上記実施形態では、糸状の錘である錘２ａ，２ｂ，２ｃ，
2019068780.tif 000004
本発明はこれに限定されない。例えば、図８（ａ）に示すように、錘部２に複数の集魚板１１を設けたり、図８（ｂ）に示すように、複数の玉形状の錘である錘２ｘを有する錘部２を備えるとともに、第３のリング７に釣り針８に代えて第２の釣り糸４を連結したり、図８（ｃ）に示すように、鎖状の錘である錘２ｙを有する錘部２を備えるとともに、第３のリング７を廃してもよい。
【実施例９】
【００５８】  また、上記実施形態では、第３のリング７に直接釣り針８を連結し、釣り糸３によって本体部１を引っ張っていたが、本発明はこれに限定されない。例えば、図９に示すように、釣り針８に代えて第２の釣り糸４を連結し、この第２の釣り糸４を介して生き餌９を引っかける釣り針８を連結したり、釣り糸３のみならず、釣り糸４によって水中を引っ張られたときにも、あるいは釣り糸４によって水中を引っ張られたときのみ、その形状により水の抵抗を受けて潜行するように本体部１を形成して釣り具４００としてもよい。
【実施例１０】
【００５９】  また、図１０に示すように、本体部１の第３のリング７に連結したラインリリース１７を介して釣り糸３の途中を挟み込むとともに、釣り糸３の先端にルアー１２を連結し、本体部１の第１のリング５にダウンリガーのケーブル１６を連結し、船１３の上に設けられた釣り竿１４で釣り糸３を引っ張るとともに、ダウンリガー１５でケーブル１６を引っ張るようにして釣り具５００としてもよい。
【産業上の利用可能性】
【００６０】  本発明は、どのような用途の水中移動体または釣り具に対しても、本発明の作用及び効果が生じるものであれば同様に適用できる。【００６１】なお、上記実施形態では、水中移動体及び釣り具を止水中で使用していたが、本発明はこれに限定されず、河川や潮流などがある水域、すなわち流水中で使用してもよい。
【符号の説明】
【００６２】  １  本体部
１ａ〜１ｙ  本体
２  錘部
２ａ〜２ｍ  糸状の錘
２ｘ  複数の玉形状の錘
２ｙ  鎖状の錘
３  釣り糸
４  第２の釣り糸
５  第１のリング
６  第２のリング
７  第３のリング
８  釣り針
９  生き餌（活き魚）
１０  ロープ
１１  集魚板
１２  ルアー
１３  船
１４  釣り竿
１５  ダウンリガー
１６  ケーブル
１７  ラインリリース
１８  水中ビデオカメラ
１９  餌
２０  水底
２０ａ  段差（昇り）
２０ｂ  段差（降り）
２０ｃ  瘤
２１  水面
１００  疑似餌（釣り具）
２００  水中移動体
３００  水中移動体
４００  釣り具
５００  釣り具
【手続補正３】
【補正対象書類名】図面
【補正対象項目名】図３−１
【補正方法】追加
【補正の内容】
【図３−１】
2019068780.tif 000005
【手続補正４】
【補正対象書類名】図面
【補正対象項目名】図４−１
【補正方法】追加
【補正の内容】
【図４−１】
2019068780.tif 000006
【手続補正５】
【補正対象書類名】図面
【補正対象項目名】図５−１
【補正方法】追加
【補正の内容】
【図５−１】
2019068780.tif 000007
【手続補正６】
【補正対象書類名】図面
【補正対象項目名】図９
【補正方法】変更
【補正の内容】
【図９】
2019068780.tif 000008
【手続補正７】
【補正対象書類名】図面
【補正対象項目名】図１０
【補正方法】変更
【補正の内容】
【図１０】
2019068780.tif 000009
【手続補正８】
【補正対象書類名】図面
【補正対象項目名】図１１
【補正方法】削除
【補正の内容】